(57)【要約】【課題】  本発明は、ユーザへの案内表示や装置の状態表示を的確且つ充分に行うことができ、操作性が向上されると共に、装置の小型化および軽量化を実現することができる携帯型プリンタを提供することを課題とする。【解決手段】  フレキシブルな透明基板に有機ＥＬ素子が形成された有機ＥＬディスプレイ１２を、本体１０に設けられたカバー１１と、カバー１１の外面に形成された収納カバー１５との間の空間に収納し、有機ＥＬディスプレイ１２がカバー１１と収納カバー１５との間の空間に収納された収納状態と、有機ＥＬディスプレイ１２がカバー１１と収納カバー１５との間の空間から引き出された引き出し状態とに移動可能に構成する。【選択図】        図１
2006142519.tif 000002
【特許請求の範囲】
【請求項１】
本体にロール紙に印字を施す印字手段が内蔵されている携帯型プリンタであって、
フレキシブルな透明基板に有機ＥＬ素子が形成された有機ＥＬディスプレイと、
該有機ＥＬディスプレイが収納される収納手段とを具備し、
前記有機ＥＬディスプレイは、前記収納手段に収納された収納状態と、前記収納手段から引き出された引き出し状態とに移動可能であることを特徴とする携帯型プリンタ。
【請求項２】
前記収納手段として、前記本体に設けられたカバーと、
該カバーの外面に形成された収納カバーとを具備し、
前記カバーと前記収納カバーとの間の空間に前記有機ＥＬディスプレイが収納されることを特徴とする請求項１記載の携帯型プリンタ。
【請求項３】
前記収納手段には、前記有機ＥＬディスプレイを巻き取る巻き取り軸が配置されており、
前記有機ＥＬディスプレイは、前記巻き取り軸に巻き取られた状態で収納されることを特徴とする請求項１記載の携帯型プリンタ。
【請求項４】
前記収納手段は、下方が軸支された表示ドアであり、
該表示ドアの内面に前記有機ＥＬディスプレイが貼付されていることを特徴とする請求項１記載の携帯型プリンタ。
【発明の詳細な説明】
【技術分野】
【０００１】
本発明は、ユーザが手に持った状態や、腰等の身体に装着した状態で使用される携帯型プリンタに関し、特にユーザへの案内表示や、装置の状態表示等を行う表示部を有する携帯型プリンタに関する。
【背景技術】
【０００２】
ユーザが手に持った状態や、腰等の身体に装着した状態で使用される携帯型プリンタは、携帯性を向上させるため、小型化および軽量化されており、ユーザへの案内表示や装置の状態表示等を行う表示部を配置する十分なスペースを確保できず、ＬＥＤ（発光ダイオード）等の小スペースで配置することができる表示部を設けられているのが一般的である（例えば、特許文献１参照）。
【０００３】
しかしながら、従来技術では、ＬＥＤ（発光ダイオード）では、限られた情報しかユーザに伝達することができず、ユーザへの案内表示や装置の状態表示を的確且つ充分に行うことができないため、操作性が損なわれてしまうという問題点があった。
【０００４】
なお、ユーザへの案内表示や装置の状態表示等を行う表示部としてＬＣＤ（液晶ディスプレイ）を備えた携帯型プリンタも存在するが、ＬＣＤには、バックライトが必要となり、装置の小型化および軽量化が阻害されてしまうという問題点があった。
【特許文献１】特開平１１−２６８３７６号公報
【発明の開示】
【発明が解決しようとする課題】
【０００５】
本発明は斯かる問題点を鑑みてなされたものであり、その目的とするところは、ユーザへの案内表示や装置の状態表示を的確且つ充分に行うことができ、操作性が向上されると共に、装置の小型化および軽量化を実現することができる携帯型プリンタを提供する点にある。
【課題を解決するための手段】
【０００６】
本発明は上記課題を解決すべく、以下に掲げる構成とした。
請求項１記載の発明の要旨は、本体にロール紙に印字を施す印字手段が内蔵されている携帯型プリンタであって、フレキシブルな透明基板に有機ＥＬ素子が形成された有機ＥＬディスプレイと、該有機ＥＬディスプレイが収納される収納手段とを具備し、前記有機ＥＬディスプレイは、前記収納手段に収納された収納状態と、前記収納手段から引き出された引き出し状態とに移動可能であることを特徴とする携帯型プリンタに存する。
また請求項２記載の発明の要旨は、前記収納手段として、前記本体に設けられたカバーと、該カバーの外面に形成された収納カバーとを具備し、前記カバーと前記収納カバーとの間の空間に前記有機ＥＬディスプレイが収納されることを特徴とする請求項１記載の携帯型プリンタに存する。
また請求項３記載の発明の要旨は、前記収納手段には、前記有機ＥＬディスプレイを巻き取る巻き取り軸が配置されており、前記有機ＥＬディスプレイは、前記巻き取り軸に巻き取られた状態で収納されることを特徴とする請求項１記載の携帯型プリンタに存する。
また請求項４記載の発明の要旨は、前記収納手段は、下方が軸支された表示ドアであり、該表示ドアの内面に前記有機ＥＬディスプレイが貼付されていることを特徴とする請求項１記載の携帯型プリンタに存する。
【発明の効果】
【０００７】
本発明の携帯型プリンタは、フレキシブルな透明基板に有機ＥＬ素子が形成された有機ＥＬディスプレイを、収納手段に収納された収納状態と、収納手段から引き出された引き出し状態とに移動可能に構成することにより、表示部を配置する広いスペースを確保する必要がないため、大画面の表示部を設けることができ、ユーザへの案内表示や装置の状態表示を的確且つ充分に行うことができ、操作性が向上されると共に、装置の小型化および軽量化を実現することができるという効果を奏する。
【発明を実施するための最良の形態】
【０００８】
以下、本発明の実施の形態を図面に基づいて詳細に説明する。
【０００９】
（第１の実施の形態）
図１は、本発明に係る携帯型プリンタの第１の実施の形態の構成を示す斜視図であり、（ａ）は、収納状態を示す図であり、（ｂ）は、引き出し状態を示す図である。図２は、本発明に係る携帯型プリンタの第１の実施の形態の構成を示す概略側面であり、（ａ）は、収納状態を示す図であり、（ｂ）は、引き出し状態を示す図であり、（ｃ）は、引き出し状態で且つカバーオープン状態を示す図である。
【００１０】
第１の実施の形態は、ユーザが手に持った状態や、腰等の身体に装着した状態で使用される携帯型プリンタであり、図１および図２を参照すると、ラベルが帯状台紙に間隔をおいて仮着されているラベル連続体や帯状の用紙が巻き回されたロール紙に印字を施す印字手段が内蔵されている本体１０と、本体１０に設けられたカバー１１と、ユーザへの案内表示や、装置の状態表示等を行う有機ＥＬ(electroluminescence)ディスプレイ１２とを備えている。
【００１１】
カバー１１は、図２に示すように、本体１０の端部に設けられたヒンジ１３を中心に回動可能に設けられており、図２（ｃ）に示すように、カバー１１を開くことにより、ロール紙を本体１０内の図示しない収納部に収納することができる。収納部に収納されたロール紙は、印字部に供給され、印字部によって印字が施されたロール紙が排出口１４から本体１０外に排出される。
【００１２】
カバー１１におけるヒンジ１３側の外面には、収納カバー１５が形成されて２重構造になっており、カバー１１と収納カバー１５との間の空間には、有機ＥＬディスプレイ１２が収納されている。
【００１３】
有機ＥＬディスプレイ１２は、ポリマーフィルム等の透明フレキシブル素材からなる透明基板に有機ＥＬ素子が形成されているフレキシブルな表示手段であり、一端部には、把持部１６が取り付けられていると共に、他端部には、フラットケーブル１７が接続され、有機ＥＬディスプレイ１２を駆動する電気信号（以下、駆動信号と称す）がフラットケーブル１７を介して供給されるように構成されている。
【００１４】
フラットケーブル１７は、巻き取り軸１８に取り付けられており、巻き取り軸１８は、常にフラットケーブル１７を巻き取る方向に付勢されている。従って、フラットケーブル１７が接続されている有機ＥＬディスプレイ１２は、カバー１１と収納カバー１５との間の空間に収納される方向に付勢され、外部から力が作用されない場合では、図１（ａ）および図２（ａ）に示すように、有機ＥＬディスプレイ１２は、把持部１６を残してカバー１１と収納カバー１５との間の空間に収納された収納状態となる。
【００１５】
収納状態において、把持部１６を把持して巻き取り軸１８による付勢力に抗して引っ張ることにより、図１（ｂ）および図２（ｂ）に示すように、有機ＥＬディスプレイ１２がカバー１１上の目視可能な領域まで引き出され、有機ＥＬディスプレイ１２が目視できる引き出し状態となる。
【００１６】
なお、有機ＥＬディスプレイ１２への駆動信号の供給は、収納状態、すなわち有機ＥＬディスプレイ１２がカバー１１と収納カバー１５との間の空間に収納された状態と、引き出し状態、すなわち有機ＥＬディスプレイ１２がカバー１１上の目視可能な領域まで引き出された状態とのいずれであるかを検出（例えば、カバー１１と収納カバー１５との間の空間に有機ＥＬディスプレイ１２を検出するセンサを設けて有機ＥＬディスプレイ１２の有無で検出）し、当該検出結果に応じて収納状態では駆動信号の供給を停止させ、引き出し状態のみで駆動信号を有機ＥＬディスプレイ１２に供給するように構成すると好適である。
【００１７】
以上説明したように、第１の実施の形態によれば、フレキシブルな透明基板に有機ＥＬ素子が形成された有機ＥＬディスプレイ１２を、本体１０に設けられたカバー１１と、カバー１１の外面に形成された収納カバー１５との間の空間に収納し、有機ＥＬディスプレイ１２がカバー１１と収納カバー１５との間の空間に収納された収納状態と、有機ＥＬディスプレイ１２がカバー１１と収納カバー１５との間の空間から引き出された引き出し状態とに移動可能に構成することにより、本体１０の外面に有機ＥＬディスプレイ１２を配置する広いスペースを確保する必要がないため、大画面の有機ＥＬディスプレイ１２を設けることができ、ユーザへの案内表示や装置の状態表示を的確且つ充分に行うことができ、操作性が向上されると共に、装置の小型化および軽量化を実現することができるという効果を奏する。
【００１８】
（第２の実施の形態）
図３は、本発明に係る携帯型プリンタの第２の実施の形態の構成を示す斜視図であり、（ａ）は、収納状態を示す図であり、（ｂ）は、引き出し状態を示す図である。図４は、本発明に係る携帯型プリンタの第２の実施の形態の構成を示す概略側面であり、（ａ）は、収納状態を示す図であり、（ｂ）は、引き出し状態を示す図であり、（ｃ）は、引き出し状態で且つカバーオープン状態を示す図である。
【００１９】
第２の実施の形態は、図３および図４を参照すると、ユーザが手に持った状態や、腰等の身体に装着した状態で使用される携帯型プリンタであり、ラベルが帯状台紙に間隔をおいて仮着されているラベル連続体や帯状の用紙が巻き回されたロール紙に印字を施す印字手段が内蔵されている本体２０と、本体２０に設けられたカバー２１と、ユーザへの案内表示や、装置の状態表示等を行う有機ＥＬディスプレイ２２とを備えている。
【００２０】
カバー２１は、図４に示すように、本体２０の端部に設けられたヒンジを中心に回動可能に設けられており、図４（ｃ）に示すように、カバー２１を開くことにより、ロール紙を本体２０内の図示しない収納部に収納することができる。収納部に収納されたロール紙は、印字部に供給され、印字部によって印字が施されたロール紙が排出口２３から本体２０外に排出される。
【００２１】
カバー２１におけるヒンジ側は、有機ＥＬディスプレイ２２を収納するディスプレイ収納部２４が形成されおり、ディスプレイ収納部２４内のヒンジと同一軸上に巻き取り軸２５が配設されている。
【００２２】
有機ＥＬディスプレイ２２は、ポリマーフィルム等の透明フレキシブル素材からなる透明基板に有機ＥＬ素子が形成されているフレキシブルな表示手段である。有機ＥＬディスプレイ２２の一端部には、把持部２６が取り付けられていると共に、他端部は、ディスプレイ収納部２４内に配設されている巻き取り軸２５に取り付けられており、巻き取り軸２５は、有機ＥＬディスプレイ２２を巻き取る方向に付勢されている。
【００２３】
従って、有機ＥＬディスプレイ２２は、ディスプレイ収納部２４に収納される方向に付勢され、外部から力が作用されない場合では、図３（ａ）および図４（ａ）に示すように、有機ＥＬディスプレイ２２は、把持部２６を残して巻き取り軸２５に巻き取られて、ディスプレイ収納部２４に収納された収納状態となる。
【００２４】
収納状態において、把持部２６を把持して巻き取り軸２５による付勢力に抗して引っ張ることにより、図３（ｂ）および図４（ｂ）に示すように、有機ＥＬディスプレイ２２がカバー２１上の目視可能な領域まで引き出され、有機ＥＬディスプレイ２２が目視できる引き出し状態となる。
【００２５】
以上説明したように、第２の実施の形態によれば、フレキシブルな透明基板に有機ＥＬ素子が形成された有機ＥＬディスプレイ２２を、ディスプレイ収納部２４に配置された巻き取り軸２５に巻き付けて収納し、巻き取り軸２５に巻き取られてディスプレイ収納部２４に収納された収納状態と、ディスプレイ収納部２４から引き出された引き出し状態とに移動可能に構成することにより、本体２０の外面に有機ＥＬディスプレイ２２を配置する広いスペースを確保する必要がないため、大画面の有機ＥＬディスプレイ２２を設けることができ、ユーザへの案内表示や装置の状態表示を的確且つ充分に行うことができ、操作性が向上されると共に、装置の小型化および軽量化を実現することができるという効果を奏する。
【００２６】
（第３の実施の形態）
図５は、本発明に係る携帯型プリンタの第３の実施の形態の構成を示す斜視図であり、（ａ）は、表示部の閉蓋状態を示す図であり、（ｂ）は、表示部の開蓋状態を示す図である。
【００２７】
第３の実施の形態は、図５を参照すると、ユーザが手に持った状態や、腰等の身体に装着した状態で使用される携帯型プリンタであり、ラベルが帯状台紙に間隔をおいて仮着されているラベル連続体や帯状の用紙が巻き回されたロール紙に印字を施す印字手段が内蔵されている本体３０と、本体３０に設けられたカバー３１と、ユーザへの案内表示や、装置の状態表示等を行う有機ＥＬディスプレイ３２とを備えている。
【００２８】
ロール紙は、本体３０に収納されるように構成されており、カバーオープンボタン３３を操作して前面に設けられたカバー３１を開くことにより、ロール紙を本体３０内の図示しない収納部に収納することができる。収納部に収納されたロール紙は、印字部に供給され、印字部によって印字が施されたロール紙が前面に設けられた排出口３４から本体３０外に排出される。また、符号３５は、ロール紙としてラベル連続体を装填した際に用いられる剥離ユニットであり、剥離ユニット３５を下方にスライドさせることにより、ラベルが帯状台紙から剥離され、剥離されたラベルがラベル排出口３６から排出され、ラベルが剥離された帯状台紙が排出口３４から排出される。
【００２９】
有機ＥＬディスプレイ３２は、ポリマーフィルム等の透明フレキシブル素材からなる透明基板に有機ＥＬ素子が形成されているフレキシブルな表示手段であり、カバー３１の外面に設けられた表示ドア３７に貼り付けられている。表示ドア３７は、本体３０の下方側が軸支されており、表示ドア３７の内面、すなわち表示ドア３７を閉めた閉蓋状態でカバー３１の外面に対向する面に有機ＥＬディスプレイ３２が貼付されている。なお、有機ＥＬディスプレイ３２は、フレキシブルであるため、表示ドア３７の内面の形状が湾曲していても貼付することができる。
【００３０】
従って、閉蓋状態では、図５（ａ）に示すように、有機ＥＬディスプレイ３２が収納された状態となり、有機ＥＬディスプレイ３２を保護することができ、開蓋状態では、図５（ｂ）に示すように、有機ＥＬディスプレイ３２が引き出された状態となり、上方から有機ＥＬディスプレイ３２を目視できる。
【００３１】
以上説明したように、第３の実施の形態によれば、フレキシブルな透明基板に有機ＥＬ素子が形成された有機ＥＬディスプレイ３２を、本体３０の下方側が軸支された表示ドア３７の内面に貼付し、表示ドア３７を閉めた収納状態と、表示ドア３７を開いて上方から有機ＥＬディスプレイ３２を目視できる引き出し状態とに移動可能に構成することにより、大画面の有機ＥＬディスプレイ３２を設けても、有機ＥＬディスプレイ３２の未使用時には、表示ドア３７を閉めることによって有機ＥＬディスプレイ３２を保護することができるという効果を奏する。
【００３２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３３】
【図１】本発明に係る携帯型プリンタの第１の実施の形態の構成を示す斜視図であり、（ａ）は、収納状態を示す図であり、（ｂ）は、引き出し状態を示す図である。
【図２】本発明に係る携帯型プリンタの第１の実施の形態の構成を示す概略側面であり、（ａ）は、収納状態を示す図であり、（ｂ）は、引き出し状態を示す図であり、（ｃ）は、引き出し状態で且つカバーオープン状態を示す図である。
【図３】本発明に係る携帯型プリンタの第２の実施の形態の構成を示す斜視図であり、（ａ）は、収納状態を示す図であり、（ｂ）は、引き出し状態を示す図である。
【図４】本発明に係る携帯型プリンタの第２の実施の形態の構成を示す概略側面であり、（ａ）は、収納状態を示す図であり、（ｂ）は、引き出し状態を示す図であり、（ｃ）は、引き出し状態で且つカバーオープン状態を示す図である。
【図５】本発明に係る携帯型プリンタの第３の実施の形態の構成を示す斜視図であり、（ａ）は、表示部閉蓋状態を示す図であり、（ｂ）は、表示部開蓋状態を示す図である。
【符号の説明】
【００３４】
１０  本体
１１  カバー
１２  有機ＥＬディスプレイ
１３  ヒンジ
１４  排出口
１５  収納カバー
１６  把持部
１７  フラットケーブル
１８  巻き取り軸
２０  本体
２１  カバー
２２  有機ＥＬディスプレイ
２３  排出口
２４  ディスプレイ収納部
２５  巻き取り軸
２６  把持部
３０  本体
３１  カバー
３２  有機ＥＬディスプレイ
３３  カバーオープンボタン
３４  排出口
３５  剥離ユニット
３６  ラベル排出口
３７  表示ドア
【図１】
2006142519.tif 000003
【図２】
2006142519.tif 000004
【図３】
2006142519.tif 000005
【図４】
2006142519.tif 000006
【図５】
2006142519.tif 000007